(57)【要約】【課題】部品点数の削減や組み立ての容易さを維持しつつ、容易な構成で漏れ光の侵入を防止することのできる車両用表示装置を提供する。【解決手段】意匠マーク２６ａを有する意匠プレート３２とインジケータレンズ３８とを連結部５０により一体成型する。この時、意匠プレート３２の裏面で意匠マーク２６ａを形成する裏打ち膜５２を連結部５０の裏面までに延設することにより、もし、インジケータレンズ３８を伝搬するＬＥＤ４４の光がインジケータレンズ３８から漏れた場合でも、その漏れ光が、裏打ち膜５２に遮られ、意匠プレート３２に侵入することなく、インジケータ２８ａと意匠マーク２６ａの相互干渉を抑制する。【選択図】図４
2005173403.tif 000002
【特許請求の範囲】
【請求項１】
基台背面に、意匠マークの部分のみを透光可能とした裏打ち膜を有し、背面からの透光により意匠マークを照明可能な意匠パネルと、前記意匠パネルの意匠マークに対応する操作が選択されていることを示すインジケータ部に背面から投光される光を導くインジケータレンズとを一体的に連結形成したオーナメントアッシーを有する車両用表示装置であって、
前記意匠パネルとインジケータレンズとの連結部の背面と、前記意匠パネルの裏打ち膜形成面とは同一平面で形成され、前記背面に、前記裏打ち膜を同時に形成していることを特徴とする車両用表示装置。
【請求項２】
請求項１記載の装置において、
前記裏打ち膜は、印刷またはスプレー塗装により形成することを特徴とする車両用表示装置。
【請求項３】
請求項１記載の装置において、
前記裏打ち膜は、インモールド成型により形成することを特徴とする車両用表示装置。
【発明の詳細な説明】
【技術分野】
【０００１】
本発明は、車両用表示装置、特に、照明部分を多数有し、背面から照明するタイプの表示装置において、所望以外の光の回り込みを抑制することのできる簡単な構造の車両用表示装置の改良に関する。
【背景技術】
【０００２】
従来から車両には様々な電子機器が搭載されている。中でも、運転席周辺に配置される電子機器においては、昼夜間に問わず、また運転の有無に問わず良好な視認性を確保することができるように、表示部が発光するようになっている。
【０００３】
例えば、空気調和装置（エアコン）の操作パネル上には、空気吹き出し口の切り替え選択、空気吹き出し量選択、内外気の切り替え、設定温度の選択等様々な操作スイッチやレバーが配置されている。また、これらのスイッチやレバーによって選択可能な機能を示す意匠マークや、選択されている機能を意匠マークと共に示すインジケータ等が配置されている。
【０００４】
一般に意匠マークはイグニッションキーがＡＣＣの位置以上にある場合には、背後のＬＥＤやバルブにより照明される。また、インジケータは前述した各スイッチやレバーにより選択された機能の部分のみが、背後のＬＥＤ等により照明される。
【０００５】
このように意匠マークやインジケータを、背面に設置したＬＥＤ等で照明する場合の構造例を説明する説明図が、図５（ａ），（ｂ）に示されている。ハウジング１００には、スイッチやレバー、意匠プレート、インジケータ等を配置するための開口が多数形成されている。図５（ａ）の場合、意匠マークを有する意匠プレート（オーナメント）１０２、インジケータに光を導くインジケータレンズ１０４とをそれぞれ別体で形成し、個別にハウジング１００に図示しない係合爪等の支持部材により取り付けられている。意匠プレート１０２は、透明樹脂等で形成され、裏面に裏打ち膜（例えば黒色）が施されている。裏打ち膜の一部は、背面に配置されたＬＥＤ１０６の光を透過できるようになっており、その透過部分が意匠マーク（例えば風量を示めすマーク）を形成している。また、複数配置されるインジケータレンズ１０４の背後にも個別にＬＥＤ１０８が配置され、操作ノブ１１０ａの操作で選択された機能に対応する意匠マークのインジケータ１０４ａを点灯するようになっている。なお、図５（ａ）において、前記ＬＥＤ１０６，１０８や例えば、風量を選択するスイッチ１１０等は、基板１１２上にそれぞれ固定されている。また、前記スイッチ１１０の操作ノブ１１０ａが表面側から揺動自在に取り付けられている。
【０００６】
しかし、図５（ａ）の構成の場合、意匠プレート１０２とインジケータレンズ１０４とをそれぞれ別体で形成しているため、部品点数の増加と共に組み立て工数の増加等が問題になる。そこで、図５（ｂ）に示すように、意匠プレート１０２とインジケータレンズ１０４とを一体化して部品点数の低減及び組み立て工数の低減を可能とする構造が提案されている。この他にも意匠プレートやインジケータレンズの位置関係に応じた一体化構造が種々提案されている（例えば、特許文献１参照）。
【０００７】
【特許文献１】実開昭６３−１６４７８９号公報
【発明の開示】
【発明が解決しようとする課題】
【０００８】
しかし、図５（ｂ）に示す一体化構造の場合、部品点数の削減や組み立て工数の削減は可能であるが、意匠プレート１０２とインジケータレンズ１０４とを連結しているため、例えば、インジケータレンズ１０４へ入射したＬＥＤ１０８の光が、インジケータレンズ１０４の伝搬経路上で漏れ、意匠プレート１０２側に侵入してしまう場合があった。特に、車両に搭載される電子機器の場合、夜間等周囲が暗い状況で使用される場合もあり、意匠プレート１０２への僅かな漏れ光の侵入でも顕著に現れ、全体の照明バランスを崩し違和感のある表示にしてしまうという問題がある。なお、意匠プレート１０２とインジケータレンズ１０４との間に例えば隔壁等の遮光部材の配置も考えられるが、ハウジング１１２の内部構造を複雑にすると共に、組み立て性の低減を招き好ましくなかった。
【０００９】
そこで、本発明は、上記課題を解消するために行われたものであり、部品点数の削減や組み立ての容易さを維持しつつ、容易な構成で意匠プレートとインジケータレンズとの間での漏れ光の侵入を防止することのできる車両用表示装置を提供することを目的とする。
【課題を解決するための手段】
【００１０】
本発明は、基台背面に、意匠マークの部分のみを透光可能とした裏打ち膜を有し、背面からの透光により意匠マークを照明可能な意匠パネルと、前記意匠パネルの意匠マークに対応する操作が選択されていることを示すインジケータ部に背面から投光される光を導くインジケータレンズとを一体的に連結形成したオーナメントアッシーを有する車両用表示装置であって、前記意匠パネルとインジケータレンズとの連結部の背面と、前記意匠パネルの裏打ち膜形成面とは同一平面で形成され、前記背面に、前記裏打ち膜を同時に形成していることを特徴とする。
【００１１】
ここで、裏打ち膜とは、意匠マークの部分のみを透光可能とし、その他の部分は遮光する膜であり、例えば、意匠マーク以外の部分が黒色等で、背後に配置され光源の光を透過させない厚みを有するものである。
【００１２】
この構成によれば、意匠パネルとインジケータレンズとの連結部の背面と、意匠パネルの裏打ち膜形成面とを同一平面で形成することにより連結部の背面にも容易に裏打ち膜を形成し、インジケータレンズ側から意匠プレート側への光も回り込みを容易に防止することができる。
【００１３】
なお、この裏打ち膜の形成は、意匠パネルとインジケータレンズの一体構造体の形成後に、印刷やスプレー塗装にて形成してもよいし、インモールド成型を用いて、一体構造体の成型時に同時に形成してもよい。
【発明を実施するための最良の形態】
【００１４】
以下、本発明の実施の形態（以下実施形態という）を、図面に従って説明する。
【００１５】
図１には、本実施形態の車両表示装置の一例として、空気調和装置（エアコン）１０の操作パネル１２が示されている。表示パネル１２上には、空気吹き出し口の切り替え選択スイッチノブ１４、空気吹き出し量選択（ブロワー）スイッチノブ１６、内外気の切り替えスイッチノブ１８、設定温度の選択レバー２０、Ａ／Ｃスイッチノブ２２、ＥＣＯＮスイッチノブ２４等様々な操作スイッチノブが配置されている。また、これらのスイッチノブやレバーによって選択可能な機能を示す意匠マーク２６ａ〜２６ｄ等や、選択されている機能を意匠マーク２６ａ〜２６ｄと共に示すインジケータ２８ａ〜２８ｄ等が配置されている。
【００１６】
一般に意匠マーク２６ａ〜２６ｄはイグニッションキーがＡＣＣの位置以上にある場合には、背後のＬＥＤやバルブにより照明される。また、インジケータ２８ａ〜２８ｄ等は前述した各スイッチにより選択された機能の部分のみが、背後のＬＥＤ等により照明される。
【００１７】
図２には、空気調和装置１０の概略的な内部構造を示す分解斜視図が示されている。図２の場合、一例としてブロワースイッチノブ１６及びその意匠マーク２６ａ、インジケータ２８ａに関して示している。
【００１８】
前述したように、操作パネル（ハウジング）１２には、ブロワースイッチノブ１６を揺動自在に支持する開口部３０、意匠マーク２６ａを有する基台としての意匠プレート３２の表面を露出させる開口部３４、インジケータ２８ａを形成する開口部３６等が形成されている。
【００１９】
また、操作パネル（ハウジング）１２の裏面側には、意匠プレート３２及びインジケータレンズ３８が一体化されたオーナメントアッシー４０が配置され、前述したように、意匠プレート３２が開口部３４から露出し、インジケータレンズ３８が対応するインジケータ用の開口部３６の背面に位置するようになっている。なお、オーナメントアッシー４０は図示しない係合爪等の支持部材により支持固定されている。また、オーナメントアッシー４０のさらに後方には、オーナメントアッシー４０の意匠プレート３２やインジケータレンズ３８に光を供給するＬＥＤ４２，４４やブロワースイッチノブ１６によって操作されるブロワースイッチ４６等を実装する基板４８が配置固定されている。なお、基板４８は図２の例では、操作パネル１２を兼用するハウジングに固定されている。また、図２においては、ＬＥＤ４２が、意匠プレート３２の背面を照明するＬＥＤであり、ＬＥＤ４４が各インジケータレンズ３８を個別に照明するＬＥＤである。
【００２０】
本実施形態において、オーナメントアッシー４０は透光性の樹脂（例えば透明や緑色等）により一体成型されている。図３には、オーナメントアッシーの断面図（図２のＡ−Ａ断面）が示されている。前述したように、オーナメントアッシー４０は、意匠プレート３２とインジケータレンズ３８とが、連結部５０によって接続され、一体化されている。この時、意匠プレート３２の背面と連結部５０の背面とが同一平面Ｓを構成するように形成されている。
【００２１】
ここで、意匠プレート３２の背面には、裏打ち膜５２が形成されている。この裏打ち膜５２は、例えば、オーナメントアッシー４０の成型後に印刷により形成してもよし、スプレー塗装により形成してもよい。この場合、意匠マーク２６ａに対応する部分にマスキング等を施した後に印刷やスプレー塗装を行い、その後、マスキングを外すことにより透光可能な意匠マーク２６ａを有する意匠プレート３２を形成することができる。また、インモールド成型によりオーナメントアッシー４０の成型時に同時に成型してもよい。この場合、マスキング等の処理が不要であり、裏打ち膜５２を有するオーナメントアッシー４０の形成が容易である。なお、この裏打ち膜５２は、遮光性を有していれば、その色、材質及び厚みは任意であり、例えば黒色や青色等が選択できる。
【００２２】
本実施形態において、裏打ち膜５２は、意匠プレート３２の背面部分を形成するときに、同時に、連結部５０の背面部分にも延長して形成している。図４には、裏打ち膜５２が連結部５０まで施されたオーナメントアッシー４０が配置された空気調和装置１０におけるブロワースイッチノブ１６周辺の断面図が示されている。図３、図４に示すように、連結部５０の背面部分まで、裏打ち膜５２を形成することより、もし、インジケータレンズ３８を伝搬するＬＥＤ４４の光がインジケータレンズ３８から漏れ、漏れ光Ｌが発生してしまった場合でも、その漏れ光Ｌは、裏打ち膜５２に遮られ、意匠プレート３２に侵入することはない。つまり、インジケータ２８ａの点灯と共に、それに伴い点灯したインジケータ２８ａに対応する意匠マーク２６ａの明るさが、他の意匠マーク２６ａの明るさと異なってしまうことが防止される。また逆に、意匠プレート３２の背面を照明するＬＥＤ４４の光がインジケータレンズ３８側へ侵入した場合でも、裏打ち膜５２により侵入角度が制限される。その結果、インジケータレンズ３８の先端側（インジケータ２８ａの側）から利用者が通常の視認姿勢で見た場合には侵入した光による影響を受けることがない。つまり、選択されていないインジケータ２８ａが弱点灯することが防止される。
【００２３】
このように、裏打ち膜５２を連結部５０までに延設することにより、意匠マーク２６ａとインジケータ２８ａとの相互干渉を容易に抑制し、良好な表示を行うことができると共に、意匠プレート３２とインジケータレンズ３８との一体化による部品点数の削減や組み立て性の向上、部品の取り扱いの容易性を従来通り維持することができる。また、この時、意匠プレート３２の背面と連結部５０の背面とが同一平面になるように形成することにより、裏打ち膜５２を印刷やスプレー塗装、インモールド成型等を用いて、容易かつ均質に形成することが可能で、低コストで、良好な裏打ち膜５２を形成することができる。
【００２４】
なお、本実施形態においては、ブロワースイッチ関連について説明したが、例えば、空気吹き出し口の切り替え選択スイッチ関連や内外気の切り替えスイッチ関連、Ａ／Ｃスイッチ、ＥＣＯＮスイッチ関連等でも同様な意匠プレートとインジケータレンズとの連結及び連結部までの裏打ち膜の延設による漏れ光の相互干渉の抑制が可能であり、同様な効果を得ることができる。もちろん、空気調和装置以外の機器においても、意匠マークとインジケータとが接近して配置される場合には、本実施形態を適用可能であり、同様な効果を得ることができる。
【図面の簡単な説明】
【００２５】
【図１】本実施形態に係る表示装置の一例として示した空気調和装置の操作パネルの構成を説明する説明図である。
【図２】本実施形態に係る表示装置の概略的な内部構造を説明する説明図である。
【図３】本実施形態に係る表示装置に用いるオーナメントアッシーの断面図である。
【図４】図３に示すオーナメントアッシーを組み込んだ空気調和装置の概略断面図である。
【図５】従来の空気調和装置の概略的な内部構造を説明する説明図である。
【符号の説明】
【００２６】
１０  空気調和装置、１２  操作パネル、１４  切り替え選択スイッチノブ、１６  空気吹き出し量選択（ブロワー）スイッチノブ、１８  切り替えスイッチノブ、２０  選択レバー、２２  Ａ／Ｃスイッチノブ、２４  ＥＣＯＮスイッチノブ、２６ａ〜２６ｄ  意匠マーク、２８ａ〜２８ｄ  インジケータ、３０，３４，３６  開口部、３２  意匠プレート、３８  インジケータレンズ、４０  オーナメントアッシー、４６  ブロワースイッチ、４８  基板、５０  連結部、５２  裏打ち膜。
【図１】
2005173403.tif 000003
【図２】
2005173403.tif 000004
【図３】
2005173403.tif 000005
【図４】
2005173403.tif 000006
【図５】
2005173403.tif 000007